(57)【要約】【課題】携帯電化製品の保護及び給電装置の提供。【解決手段】本考案である携帯電化製品の保護及び給電装置は、携帯電化製品を例えばレザーケース等の保護装置に収納し同時に充電もできるという、使用面での利便性という目的を達成するものである。該装置は据え置きと携帯ができる電化製品の収納部内に給電モジュールを設けている。この給電モジュールは更に携帯電化製品の電源入力ポートに挿入する第１コネクタ、及び電源回路を含む。そのうち電源回路は蓄電池に接続し、携帯電化製品が収納部内と第１コネクタに電気接続される。この後蓄電池が、電源回路を通じて携帯電化製品に給電、充電を行う。【選択図】図２
0003135487.tif 000002
【実用新案登録請求の範囲】
【請求項１】
収納部と給電モジュールを含み、そのうち該収納部は携帯電化製品を収納するのに用い、給電モジュールは収納部と互いに統合し、更に携帯電化製品の電源入力ポートに挿入する第１コネクタ、及び蓄電池に接続し制御回路を通じて携帯電化製品に給電、充電する電源回路を含むことを特徴とする携帯電化製品の保護及び給電装置。
【請求項２】
該蓄電池は給電モジュール内蔵の充電式電池であり、該給電モジュールは更に外部電源に接続できる第２コネクタを設け、蓄電池への充電が可能であることを特徴とする請求項１記載の携帯電化製品の保護及び給電装置。
【請求項３】
該蓄電池は使い捨て電池であり、該給電モジュールは更に電池ホルダーを設け、該蓄電池の交換に用いることを特徴とする請求項１記載の携帯電化製品の保護及び給電装置。
【請求項４】
該蓄電池は充電式電池であり、該給電モジュールは更に外部電源に接続する第２コネクタ、及び該蓄電池の交換に用いる電池ホルダーを設けることを特徴とする請求項１記載の携帯電化製品の保護及び給電装置。
【請求項５】
該給電モジュールは更に携帯電化製品の電力不足を検知した時に充電を作動する制御回路を設けることを特徴とする請求項１記載の携帯電化製品の保護及び給電装置。
【請求項６】
該携帯電化製品は少なくともPDA、GPS、携帯電話、ノートパソコン、ポケットPC、デジタルビデオ、デジタルカメラを含み、また収納部はこのうちのいかなる携帯電化製品の形状とも対応し、これを収納可能な保護ケースであることを特徴とする請求項１記載の携帯電化製品の保護及び給電装置。
【請求項７】
該収納部の材質には皮革品、プラスチック、金属またはそれらを組み合わせたものを含むことを特徴とする請求項１記載の携帯電化製品の保護及び給電装置。
【請求項８】
該収納部は背面部に使用者が衣服に引っ掛けられるベルトクリップを備えることを特徴とする請求項１記載の携帯電化製品の保護及び給電装置。
【請求項９】
該収納部は使用者が携行し易いようにベルトストラップを設けることを特徴とする請求項１記載の携帯電化製品の保護及び給電装置。
【請求項１０】
該収納部は更に給電モジュールを収納する収納空間、および携帯電化製品を安定した場所に固定する固定用空間を備え、また給電モジュールの第１コネクタは相対的に固定用空間内に露出し、携帯電化製品の電源入力ポートと対応していることを特徴とする請求項１記載の携帯電化製品の保護及び給電装置。
【請求項１１】
該収納部が該固定用空間を形成する位置にフタを設けることを特徴とする請求項１０記載の携帯電化製品の保護及び給電装置。
【請求項１２】
該第１コネクタは回転可能な構造であることを特徴とする請求項１記載の携帯電化製品の保護及び給電装置。
【考案の詳細な説明】
【技術分野】
【０００１】
本考案は携帯電化製品の保護及び給電装置に関わり、特に携行に便利で、携帯電化製品の電力が不足になる時には、直ちに携帯電化製品に、給電、充電を行うことができる保護及び給電装置に関わる。
【背景技術】
【０００２】
現在見られる携帯電化製品には、PDA、GPS、携帯電話、ノートパソコン、ポケットPC、DV (デジタルビデオ)、デジタルカメラ等が例として挙げられる。これら製品の製作は、新機能の開発に力を注ぎ、小さくかつ美しくなければならないばかりでなく、更には製品の外観でも知恵を絞っている。一般に携帯電化製品は、そのため大半の使用者がレザーケース、収納袋等の保護ケースに入れて携行している。これら保護ケースによりパッケージングすることで、携帯電化製品が外観上の損傷を受けるのをできる限り防いでいるからである。それ故レザーケース等の保護ケースは、携帯電化製品の使用者にとっては携行に欠かせないアイテムの一つになっているかのようである。
【０００３】
そのうえ、一般に携帯電化製品は主に充電電池を備え、携帯と随時の操作・使用がしやすいようになっている。携帯電化製品を屋外で使用する時は、電力は電池に完全に依頼しているとも言える。そのため携帯電化製品がどれほど他人の羨望の的になるような機能を備えていても、一旦電池切れになれば、正常な作動ができなくなるのである。
【０００４】
電池の最も煩わしい点は、持続時間が把握しにくいことである。例えば、充電・使用回数、環境温度、使用時間、充電方法等は、全て電池の使用寿命に影響を与えうる。たとえ充電したばかりの電池を携帯電化製品内に挿入したとしても、該電池の電力が、携帯電化製品が屋外で必要な全ての時間供給されるかは保証できないのもそのためである。
【０００５】
上述したように電池の使用時間は不確実である。そのため一般消費者は余分な予備電池を携帯し、携帯電化製品の電池がなくなった時に直ちに電池交換ができるようにしている。しかしこれは消費者にとっては、予備電池を１つ別に携帯することで、屋外での行動能力を束縛しうる。それにとどまらず、予備電池を収納する場所が見つからないという問題、更にはなくしてしまうという煩わしさにも常に直面している。
【０００６】
また携帯電化製品は、充電装置を備えるのが常である。一般によく見られるトラベルチャージャー、デスクトップチャージャー等がその例である。ただこれらの充電装置は、通常室内でも電源とコンセントがある場所で使用しなければならない。そのため携帯に不便なだけでなく、屋外では携帯電化製品を充電することもできない。
【考案の開示】
【考案が解決しようとする課題】
【０００７】
これらに鑑み、本考案の主要な目的は、携行に便利で、携帯電化製品の電池が電力不足の時に直ちに携帯電化製品に給電、充電を行うことができる一種の保護及び給電装置を提供することである。
【０００８】
上記の目的を達成するため、本考案では主に、据え置きと携帯ができる電化製品の収納部内に給電モジュールを設ける。該給電モジュールは更に以下のものを含む：携帯電化製品の電源入力ポートに挿入する第１コネクタ、及び電源回路。そのうち電源回路は蓄電池に接続し、携帯電化製品が収納部内と第１コネクタに電気接続された後、蓄電池は電源回路を通じて携帯電化製品に給電、充電を行う。
【課題を解決するための手段】
【０００９】
請求項１の考案は、収納部と給電モジュールを含み、そのうち該収納部は携帯電化製品を収納するのに用い、給電モジュールは収納部と互いに統合し、更に携帯電化製品の電源入力ポートに挿入する第１コネクタ、及び蓄電池に接続し制御回路を通じて携帯電化製品に給電、充電する電源回路を含むことを特徴とする携帯電化製品の保護及び給電装置としている。
請求項２の考案は、該蓄電池は給電モジュール内蔵の充電式電池であり、該給電モジュールは更に外部電源に接続できる第２コネクタを設け、蓄電池への充電が可能であることを特徴とする請求項１記載の携帯電化製品の保護及び給電装置としている。
請求項３の考案は、該蓄電池は使い捨て電池であり、該給電モジュールは更に電池ホルダーを設け、該蓄電池の交換に用いることを特徴とする請求項１記載の携帯電化製品の保護及び給電装置としている。
請求項４の考案は、該蓄電池は充電式電池であり、該給電モジュールは更に外部電源に接続する第２コネクタ、及び該蓄電池の交換に用いる電池ホルダーを設けることを特徴とする請求項１記載の携帯電化製品の保護及び給電装置としている。
請求項５の考案は、該給電モジュールは更に携帯電化製品の電力不足を検知した時に充電を作動する制御回路を設けることを特徴とする請求項１記載の携帯電化製品の保護及び給電装置としている。
請求項６の考案は、該携帯電化製品は少なくともPDA、GPS、携帯電話、ノートパソコン、ポケットPC、デジタルビデオ、デジタルカメラを含み、また収納部はこのうちのいかなる携帯電化製品の形状とも対応し、これを収納可能な保護ケースであることを特徴とする請求項１記載の携帯電化製品の保護及び給電装置としている。
請求項７の考案は、該収納部の材質には皮革品、プラスチック、金属またはそれらを組み合わせたものを含むことを特徴とする請求項１記載の携帯電化製品の保護及び給電装置としている。
請求項８の考案は、該収納部は背面部に使用者が衣服に引っ掛けられるベルトクリップを備えることを特徴とする請求項１記載の携帯電化製品の保護及び給電装置としている。
請求項９の考案は、該収納部は使用者が携行し易いようにベルトストラップを設けることを特徴とする請求項１記載の携帯電化製品の保護及び給電装置としている。
請求項１０の考案は、該収納部は更に給電モジュールを収納する収納空間、および携帯電化製品を安定した場所に固定する固定用空間を備え、また給電モジュールの第１コネクタは相対的に固定用空間内に露出し、携帯電化製品の電源入力ポートと対応していることを特徴とする請求項１記載の携帯電化製品の保護及び給電装置としている。
請求項１１の考案は、該収納部が該固定用空間を形成する位置にフタを設けることを特徴とする請求項１０記載の携帯電化製品の保護及び給電装置としている。
請求項１２の考案は、該第１コネクタは回転可能な構造であることを特徴とする請求項１記載の携帯電化製品の保護及び給電装置としている。
【考案の効果】
【００１０】
具体的には、本考案には以下のような効果がある。
１. 本携帯電化製品の保護および給電装置は携行に便利で、かつ携帯電化製品に給電、充電を行うものであり、屋外では携帯電化製品に充電できなかったという問題点を解決する。
２. 本携帯電化製品の保護および給電装置は携帯電化製品と蓄電池を同時に収納できるものであり、予備電池を別に携帯するという煩わしさが省ける。
３. 本携帯電化製品の保護および給電装置は制御回路を増設できる。制御回路により、該携帯電化製品が電力不足なのを検知した時、蓄電池から電源回路を通じて携帯電化製品に給電、充電を行うことができる。これにより携帯電化製品に対する損傷を効果的に低減できるのである。
４. 本携帯電化製品の保護と給電装置は、携帯電化製品が定位置に据え置かれた時、第１コネクタを通じて携帯電化製品と給電モジュールを電気伝導させるものであり、予備電池と取り替えるために電池を取り出し再起動しなければならないという煩わしさを省く。
【考案を実施するための最良の形態】
【００１１】
本考案は携行に便利で、携帯電化製品の電力不足時に、直ちに携帯電化製品に給電、充電を行うことができる一種の保護及び給電装置を提供することを目的にしている。図１から図３に示すように、携帯電化製品の保護および給電装置全体では、基本的に収納部(１０)、及び収納部(１０)と対応しあう給電モジュール(２０)から構成される。そのうち収納部(１０)は携帯電化製品(３０)を収納するのに用いる。また給電モジュール(２０)は更に以下のものを含む：携帯電化製品(３０)の電源入力ポート(３１)に挿入する第１コネクタ(２１)、制御回路(２２)、及び電源回路(２３)。
【００１２】
給電モジュール(２０)のうち、電源回路(２３)は蓄電池(４０)に接続されている。また携帯電化製品(３０)は、収納部(１０)内に収納され第１コネクタ(２１)と電気接続された後、第１コネクタ(２１)が電源入力ポート(３１)に挿入される。こうして携帯電化製品(３０)と給電モジュール(２０)が電気伝導される。それにより蓄電池(４０)は電源回路(２３)を通じて携帯電化製品(３０)に充電を行う。給電モジュール(２０)のうちの制御回路(２２)は、該携帯電化製品(３０)の電力不足が検知できた時、始めて蓄電池(４０)が電源回路(２３)を通じて携帯電化製品(３０)に充電を行なうのである。  
【００１３】
本考案で応用する携帯電化製品(３０)は少なくともPDA、GPS、携帯電話、ノートパソコン、ポケットPC、DV (デジタルビデオ)、デジタルカメラ等を含む。携帯電化製品の収納部(１０)とは、即ち上記のいかなる携帯電化製品(３０)の形状とも対応し、収納可能な保護ケースである。この保護ケースの材質には皮革品、プラスチック、金属またはそれらを組み合わせたものを含む。保護ケース状の構造形態をした収納部(１０)は、実施時に引っ掛けたり紐で繋ぎ止めたりするための通し穴(１１)を設けることができるか、またはその背面部にベルトクリップ(１３)を設け使用者が衣服(例：ベルト)に引っ掛けられ携行して使用してもよい。更には直接ベルトストラップを設けて使用者が肩掛け/脇掛けの形で使用できるようにしてもよい。
【００１４】
前記の収納部(１０)は、更に給電モジュール(２０)を収納するための収納空間(１４)、及び携帯電化製品(３０)を安定した場所に固定する固定用空間(１５)を備える。給電モジュール(２０)のうち、第１コネクタ(２１)は相対的に固定用空間(１５)に露出していて、携帯電化製品(３０)が収納部(１０)に入れられ固定される時、第１コネクタ(２１)を通じて電源入力ポート(３１)に挿入され、携帯電化製品(３０)と給電モジュール(２０)が電気伝導できる。そして給電モジュール(２０)の作動のもとで、携帯電化製品(３０)が電力不足の時でも電池を取り出す必要がなく、蓄電池(４０)が電源回路(２３)を通じて携帯電化製品(３０)に給電、充電が行える。このため予備電池に交換するため電池を取り出し、再起動するという煩わしさが省けるのである。
【００１５】
図４に示すように、上記の収納部(１０)は固定用空間(１５)の位置にあわせてフタ(１６)を設け、携帯電化製品(３０)を収納部(１０)に対応して垂直または水平方向に着脱させるのに便利なようにしている。当然前記の第１コネクタ(２１)は、携帯電化製品(３０)にある電源入力ポート(３１)の着脱方向にあわせ、固定用空間(１５)の側面または底部位置に互いに対応している。実施時には更に図５に示すように、第１コネクタ(２１)の設計を回転可能な構造にし、携帯電化製品(３０)を着脱する利便性を増すこともできる。
【００１６】
図１、２に示すように、本携帯電化製品の保護および給電装置は、携帯電化製品(３０)及び蓄電池を同時に収納できる。そのため別に予備電池を携帯するという煩わしさを省き、携帯電化製品(３０)が屋外では充電できなかったという問題点を解決することができる。携帯電化製品(３０)に給電、充電する蓄電池(４０)は、収納部(１０)内部に内蔵された充電式電池でも、収納部(１０)内部に装着される使い捨て電池でもよい。
【００１７】
この蓄電池(４０)が充電式電池である場合、給電モジュール(２０)は更に、外部電源に接続可能な第２コネクタ(２４)を設け、蓄電池(４０)に充電を行える。またこの蓄電池(４０)が使い捨て電池である場合は、その給電モジュール(２０)は収納部(１０)の箇所に電池ホルダー(２５)を設け、蓄電池(４０)の交換に供する。当然、給電モジュール(２０)は第２コネクタ(２４)及び電池ホルダー(２５)を同時に設けることができる。そして電池ホルダー(２５)内に一般に交換可能な充電式の蓄電池(４０)を収納する場合は、充電式の蓄電池(４０)に充電して、携帯電化製品全体の保護、及び給電装置の適用性と使用の利便性を増すことができる。
【００１８】
上述した構造は設計面で、携帯電化製品が屋外では充電しにくかったという問題点を解決し、予備電池に交換するため電池を取り出し、再起動しなければならないという煩わしさが省けるのである。これにより携帯電化製品への損傷が減少できる。
【図面の簡単な説明】
【００１９】
【図１】本考案の携帯電化製品の着脱方式を示した概略図である。
【図２】本考案の背面部立体分解図である。
【図３】本考案の給電モジュールの構成構造を示した概略図である。
【図４】本考案の別の携帯電化製品について、着脱方式を示した概略図である。
【図５】本考案の第２実施例のうち、第１コネクタの回転を示した概略図である。
【符号の説明】
【００２０】
１０  収納部  
２２  制御回路
１１  通し穴  
２３  電源回路
１３  ベルトクリップ  
２４  第２コネクタ
１４  収納空間  
２５  電池ホルダー
１５  固定用空間  
３０  携帯電化製品
１６  フタ  
３１  電源入力ポート
２０  給電モジュール  
４０  蓄電池
２１  第１コネクタ
【図１】
0003135487.tif 000003
【図２】
0003135487.tif 000004
【図３】
0003135487.tif 000005
【図４】
0003135487.tif 000006
【図５】
0003135487.tif 000007
【手続補正書】
【提出日】平成19年7月13日(2007.7.13)
【手続補正１】
【補正対象書類名】実用新案登録請求の範囲
【補正対象項目名】全文
【補正方法】変更
【補正の内容】
【実用新案登録請求の範囲】
【請求項１】
収納部と給電モジュールを含み、そのうち該収納部は携帯電化製品を収納するのに用い、給電モジュールは収納部と互いに統合し、更に携帯電化製品の電源入力ポートに挿入する第１コネクタ、及び蓄電池に接続し制御回路を通じて携帯電化製品に給電、充電する電源回路を含むことを特徴とする携帯電化製品の保護及び給電装置。
【請求項２】
該蓄電池は給電モジュール内蔵の充電式電池であり、該給電モジュールは更に外部電源に接続できる第２コネクタを設け、蓄電池への充電が可能であることを特徴とする請求項１記載の携帯電化製品の保護及び給電装置。
【請求項３】
該蓄電池は使い捨て電池であり、該給電モジュールは更に電池ホルダーを設け、該蓄電池の交換に用いることを特徴とする請求項１記載の携帯電化製品の保護及び給電装置。
【請求項４】
該蓄電池は充電式電池であり、該給電モジュールは更に外部電源に接続する第２コネクタ、及び該蓄電池の交換に用いる電池ホルダーを設けることを特徴とする請求項１記載の携帯電化製品の保護及び給電装置。
【請求項５】
該給電モジュールは更に携帯電化製品の電力不足を検知した時に充電を作動する制御回路を設けることを特徴とする請求項１記載の携帯電化製品の保護及び給電装置。
【請求項６】
該携帯電化製品は少なくともPDA、GPS、携帯電話、ノートパソコン、ポケットPC、デジタルビデオ、デジタルカメラを含み、該携帯電化製品の収納部とは、上記のいかなる携帯電化製品の形状とも対応し、収納可能な保護ケースであることを特徴とする請求項１記載の携帯電化製品の保護及び給電装置。
【請求項７】
該収納部の材質には皮革品、プラスチック、金属またはそれらを組み合わせたものを含むことを特徴とする請求項１記載の携帯電化製品の保護及び給電装置。
【請求項８】
該収納部は背面部に使用者が衣服に引っ掛けられるベルトクリップを備えることを特徴とする請求項１記載の携帯電化製品の保護及び給電装置。
【請求項９】
該収納部は使用者が携行し易いようにベルトストラップを設けることを特徴とする請求項１記載の携帯電化製品の保護及び給電装置。
【請求項１０】
該収納部は更に給電モジュールを収納する収納空間、および携帯電化製品を安定した場所に固定する固定用空間を備え、また給電モジュールの第１コネクタは相対的に固定用空間内に露出し、携帯電化製品の電源入力ポートと対応していることを特徴とする請求項１記載の携帯電化製品の保護及び給電装置。
【請求項１１】
該収納部が該固定用空間を形成する位置にフタを設けることを特徴とする請求項１０記載の携帯電化製品の保護及び給電装置。
【請求項１２】
該第１コネクタは回転可能な構造であることを特徴とする請求項１記載の携帯電化製品の保護及び給電装置。
【手続補正２】
【補正対象書類名】明細書
【補正対象項目名】０００９
【補正方法】変更
【補正の内容】
【０００９】
請求項１の考案は、収納部と給電モジュールを含み、そのうち該収納部は携帯電化製品を収納するのに用い、給電モジュールは収納部と互いに統合し、更に携帯電化製品の電源入力ポートに挿入する第１コネクタ、及び蓄電池に接続し制御回路を通じて携帯電化製品に給電、充電する電源回路を含むことを特徴とする携帯電化製品の保護及び給電装置としている。
請求項２の考案は、該蓄電池は給電モジュール内蔵の充電式電池であり、該給電モジュールは更に外部電源に接続できる第２コネクタを設け、蓄電池への充電が可能であることを特徴とする請求項１記載の携帯電化製品の保護及び給電装置としている。
請求項３の考案は、該蓄電池は使い捨て電池であり、該給電モジュールは更に電池ホルダーを設け、該蓄電池の交換に用いることを特徴とする請求項１記載の携帯電化製品の保護及び給電装置としている。
請求項４の考案は、該蓄電池は充電式電池であり、該給電モジュールは更に外部電源に接続する第２コネクタ、及び該蓄電池の交換に用いる電池ホルダーを設けることを特徴とする請求項１記載の携帯電化製品の保護及び給電装置としている。
請求項５の考案は、該給電モジュールは更に携帯電化製品の電力不足を検知した時に充電を作動する制御回路を設けることを特徴とする請求項１記載の携帯電化製品の保護及び給電装置としている。
請求項６の考案は、該携帯電化製品は少なくともPDA、GPS、携帯電話、ノートパソコン、ポケットPC、デジタルビデオ、デジタルカメラを含み、該携帯電化製品の収納部とは、上記のいかなる携帯電化製品の形状とも対応し、収納可能な保護ケースであることを特徴とする請求項１記載の携帯電化製品の保護及び給電装置としている。
請求項７の考案は、該収納部の材質には皮革品、プラスチック、金属またはそれらを組み合わせたものを含むことを特徴とする請求項１記載の携帯電化製品の保護及び給電装置としている。
請求項８の考案は、該収納部は背面部に使用者が衣服に引っ掛けられるベルトクリップを備えることを特徴とする請求項１記載の携帯電化製品の保護及び給電装置としている。
請求項９の考案は、該収納部は使用者が携行し易いようにベルトストラップを設けることを特徴とする請求項１記載の携帯電化製品の保護及び給電装置としている。
請求項１０の考案は、該収納部は更に給電モジュールを収納する収納空間、および携帯電化製品を安定した場所に固定する固定用空間を備え、また給電モジュールの第１コネクタは相対的に固定用空間内に露出し、携帯電化製品の電源入力ポートと対応していることを特徴とする請求項１記載の携帯電化製品の保護及び給電装置としている。
請求項１１の考案は、該収納部が該固定用空間を形成する位置にフタを設けることを特徴とする請求項１０記載の携帯電化製品の保護及び給電装置としている。
請求項１２の考案は、該第１コネクタは回転可能な構造であることを特徴とする請求項１記載の携帯電化製品の保護及び給電装置としている。